(57)【要約】【課題】面倒な操作を必要とすることなく、一対のハンドルを極めて簡単に一体的に連結することができる釣り容器を提供すること【解決手段】釣り用容器本体１２に、手で握持可能な握持部２０ｂをそれぞれが有する一対のハンドル２０を設け、これらのハンドルの少なくとも一方に、他方のハンドルを引付ける磁性を与え、各ハンドルの握持部２０ｂ同士を磁力で一体的に連結可能とした釣り容器。【選択図】　　図１
2004105077.tif 000002
【特許請求の範囲】
【請求項１】
釣り用容器本体に、手で握持可能な握持部をそれぞれが有する一対のハンドルを設け、これらのハンドルの少なくとも一方に、他方のハンドルを引付ける磁性を与え、各ハンドルの握持部同士を磁力で一体的に連結可能としたことを特徴とする釣り容器。
【請求項２】
前記磁性は、握持部に埋設された磁性体で与えられることを特徴とする請求項１に記載の釣り容器。
【請求項３】
前記各ハンドルは、握持部を容器本体から突出させて他方のハンドルの握持部と連結可能とする起立位置と、握持部を容器本体の外面に当接可能とする倒伏位置との間を移動可能に設けられ、ハンドルが倒伏位置に配置されたときに握持部を磁着する保持部を前記容器本体に設けたことを特徴とする釣り容器。
【発明の詳細な説明】
【０００１】
【発明の属する技術分野】
本発明は、釣行に携行するのに適した釣り用容器に関する。
【０００２】
【従来の技術】
例えば釣り用バケツ等の釣り用容器には、携帯に適した構造とするために、容器本体の両側に一対の持運び用ハンドルを取付けたものがある。この釣り用容器を持運ぶ際に、これらの一対のハンドルを同時に把持するため、各ハンドルには、容器本体の上方で互いに当接可能な握持部が設けられる。そして、このような各ハンドルの握持部を連結する種々の手段を設けたものがある。
【０００３】
このような釣り用容器には、各ハンドルをベルトで形成し、これらのベルトの相対向する面にスナップ式連結具のオス・メス部を設け、中間部で連結するようにしたものがある（例えば特許文献１参照）。
【０００４】
また、逆Ｕ字状の前後把持体の中央部に設けたそれぞれの把持部の対向面に、互いに係脱自在な係合溝と係合突起とを設け、これらの係合溝と係合突起とを係止させることにより、把持部を束ねた状態とするものがある（例えば特許文献２参照）。
【０００５】
更に、略コの字状の把手本体の把持部に、中間位置から一方端にかけて突部と段部とを所定間隔毎に形成し、また、この中間位置から他方端にかけて段部と突部とを所定間隔毎に形成し、これらの一対の把持部の突部と段部とを互いに嵌入させることにより、軸方向の滑りを防止したものもある（例えば特許文献３参照）。
【０００６】
【特許文献１】
特開平８−７０９２４号公報　（第４頁、第１図）
【０００７】
【特許文献２】
特開平１０−５６９９３号公報　（第４頁、第１図）
【０００８】
【特許文献３】
特開平１１−１２３０４３号公報　（第３，４頁、第１−５，８図）
【０００９】
【発明が解決しようとする課題】
上述のような従来の釣り用容器の場合は、一対のハンドルを必要に応じて一体的に連結し、これにより持運びを容易とすることができるものであるが、しかし、一体的に連結する際には、特許文献１に記載のベルトは、スナップ式連結具のオス・メス部の位置合わせを必要とし、引用文献２及び引用文献３に記載の把持部は、係合溝と係合突起、あるいは段部と突部のそれぞれの位置合わせを行う等の面倒な操作を必要とする。
【００１０】
更に、特許文献１に記載のスナップ式連結具の場合には、特に暗い環境で位置合わせ行うことが困難である。また、特許文献２に記載の係合突起と係合溝との組合せ、および特許文献３に記載の突部と段部との組合せは、係合突起あるいは突部が損傷し、係合溝あるいは段部に異物が充填された場合には、一体的に連結することができなくなる。更に、特許文献３に記載の把持部は、大きくかつ角部を有する突部と段部とが全周にわたって形成されるため、充填した状態の重い容器を長時間にわたって握持することは困難である。
【００１１】
本発明は、上述のような事情に基づいてなされたもので、面倒な操作を必要とすることなく、どのような状態にあっても一対のハンドルを極めて簡単に一体的に連結することができる釣り容器を提供することを目的とする。
【００１２】
【課題を解決するための手段】
上記目的を達成する本発明の釣り用容器は、釣り用容器本体に、手で握持可能な握持部をそれぞれが有する一対のハンドルを設け、これらのハンドルの少なくとも一方に、他方のハンドルを引付ける磁性を与え、各ハンドルの握持部同士を磁力で一体的に連結可能としたことを特徴とする。
【００１３】
【発明の実施の形態】
図１から図４は、本発明の好ましい実施形態による釣り用容器１０を示す。　本実施形態の釣り用容器１０は、底壁部と４つの側壁部とを有する角形の箱状容器本体１２を有し、この容器本体１２の上部開口１１（図４）を天壁部を形成する蓋体１４で開閉することができる。この蓋体１４は、ヒンジ１６を介して、容器本体１２の上縁部に側縁部が取付けられ、図１に鎖線で示すように開いたときに、容器本体１２の上部開口の全体を外部に開口させ、図１に実線で示すように閉じたときに、ファスナ１８により、その全周にわたって容器本体１２の上縁部に取り付け、容器本体１２を内部の収容物が出ないように閉塞した状態とすることができる。なお、蓋体１４を容器本体１２に取り付ける手段としては、このような全周にわたって延設するファスナ１８の他にも、例えばヒンジ１６の反対側の部位等の適宜個所を部分的に連結する締結具を用いることも可能である。また、容器本体１２は、蓋体１４を設けずに上部開口１１が露出したままでもよい。
【００１４】
このような釣り用容器１０は、主に撒き餌を入れ、その中で撒き餌を作成し、釣具を収納し、あるいは魚入れに好適な構造に形成してある。これらの容器本体１２および蓋体１４は、例えばエチレン酢酸ビニルあるいは塩化ビニル等の合成樹脂製シート材で形成することが好ましく、容器本体１２と蓋体１４とは必ずしも同一の材料を用いる必要はない。このような柔軟性を有するシート材により、角形の箱状容器本体１２を形成する際は、各壁部を形成するシート材の縁部を互いに熱等で溶着し、あるいは接着剤を用いて接着することで接合し、この容器本体１２を防水構造に形成するのが好ましい。
【００１５】
更に、本実施形態の釣り用容器１０は、容器本体１２の対向する側壁部の外側で、上部開口１１の近部に取付けられた携帯用の一対のハンドル２０を有する。
本実施形態のハンドル２２は、それぞれ可撓性を有する合成樹脂により略コ字状形状に形成してあり、対向する一対の腕部２０ａと、これらの腕部の先端を結合する握持部２０ｂとを有し、手に適合しやすい材料および外形形状に形成した合成樹脂製の握持用パッド２２を外層としてこの握持部２０ｂの外周部に固着してある。
【００１６】
各ハンドル２０の腕部２０ａは、容器本体１２の側壁部に固着した補強材を兼ねる保持具２４を介して、その基端部が容器本体１２に取り付けられており、図１および図２に示すように握持部２０ｂを容器本体１２から上方に突出させて他方のハンドル２０の握持部２０ｂと連結可能とする起立位置と、図３に示すように握持部２０ｂを容器本体１２の外側面に当接可能とする倒伏位置との間を移動することができる。ハンドル２０は、腕部２０ａの基端部の取付け孔２１に保持具２４の取付け軸２５を挿通して、容器本体１２に回動自在に取り付けられる。
【００１７】
各ハンドル２０を起立位置あるいは倒伏位置に保持するため、腕部２０ａの基端部の取付け孔２１を、楕円形あるいは長円形状等の非円形状に形成し、この取付け孔２１に挿通する保持具２４の取付け軸２５を、例えば矩形の断面形状等の非円形軸に形成することが好ましい。ハンドル２０が可撓性材料で形成されることにより、起立位置と倒伏位置との間を移動する際、取付け孔２１が取付け軸２５に接して変形する。また、保持具２４が柔軟性樹脂で形成される場合には、取付け孔２１と共に取付け軸２５も弾性変形する。更に、図示の実施形態とは逆に、保持具２４に取付け孔を形成し、ハンドル２０の腕部２０ａの基端部に取付け軸２５を形成することも可能である。
【００１８】
このように形成したハンドル２０は、図１に示す起立位置に配置した状態で、対向する各ハンドル２０の握持部２０ｂを互いに近接させる方向に移動すると、容器本体１２の上縁部に当接した部位を中心として腕部２０ａが屈曲する。これにより、図２および図４に示すように、各握持部２０ｂは、パッド２２を互いに併置させた添接状態とすることができる。腕部２０ａをこのように撓みやすくしつつ握持部２０ｂの剛性を確保するため、握持部２０ｂは、腕部２０ａよりも大径に形成し、あるいは、図４に例示するように断面楕円形状に形成することが好ましい。握持部２０ｂの剛性を腕部２０ａよりも高くすることにより、握持部２０ｂの中央部を握持したときに、この握持部２０ｂが釣り用容器の重さで撓むのが防止され、持ち運びが容易となる。
【００１９】
なお、図示の実施形態では、ハンドル２０は中実構造に形成してあるが、その一部あるいは全体を中空構造に形成することも可能である。また、必要な場合には、握持部２０ｂに剛性の高い補強部材を挿入し、握持部を細径化することも可能である。これとは逆に、各握持部２０ｂは、互いに添接状態とすることができるものであれば、剛性構造とすることなく、腕部２０ａと同様に自由に撓むことが可能な構造に形成してもよい。なお、ハンドル形状は図示のような略コ字状に限らず、Ｕ字状や矩形の枠状あるいは板状等、または、その他適宜の形状に形成することができ、さらに形状が容易に変化する柔軟性を有する紐で形成してもよい。したがって、握持部は、実施形態のように腕部２０ａと握持部２０ｂとを明確に区別することを要せず、一対のハンドルを添接状態で握持することが可能な部分とすることができる。
【００２０】
各ハンドル２０の握持部２０ｂを添接状態で保持するため、本実施形態では、握持部２０ｂの外層を形成するパッド２２に混入した磁性体粉末を磁化することにより、このハンドル２０に磁性を与え、各ハンドルの握持部２０ｂ同士を磁力で一体的に連結可能としてある。本実施形態では、それぞれの握持部２０ｂが互いに異種の磁極同士を対向配置させることができるように、双方のハンドル２０に磁性を与えてあり、各握持部２０ｂを近づけると、双方のハンドルすなわち握持部２０ｂが互いに引付けられ、図２および図４に示すように当接した状態で添接される。各握持部２０ｂの対向する磁極同士が引き合うため、双方のハンドル２０を互いに近接させるだけの極めて簡単な操作で、特別な位置決め手段を設けることなく、連結することができる。
【００２１】
このように握持部２０ｂが互いに磁力で添接された状態では、各握持部２０ｂを同じ手の内に一度に握り込むことができ、持ち運びに極めて便利である。また、釣り舟との荷物の受け渡しにおいても、双方のハンドル２０の握持部２０ｂを一度に握り込んで確実に受け渡しができるため、釣り用容器１０自体や、内部に収容した荷物を脱落させることなく、安全に行うことができる。
【００２２】
更に、本実施形態の釣り用容器１０は、例えば釣りをしている最中等のハンドル２０を使用していないときに、ハンドル２０を倒伏位置に保持する保持部２６を容器本体１２に設けてある。
この保持部２６は、保持具２４と同じ側壁部の底壁に近い位置でこの外側面に止着され、同じ側壁部に設けられた握持部２２を着磁可能な板状部材で形成してある。握持部２２がこの保持部２６に磁力で連結されたときに、ハンドル２０は取付け軸２５から垂下した状態に、その腕部２０ａを外側面に沿って延在し、釣り中の種々の作業の邪魔になることはなく、また、保管する際の邪魔になることもない。なお、この保持部２６は、ハンドル２０を外側面に沿わせて保持できる位置であれば、図示のような底壁に近い位置に限るものではない。また、握持部２２ｂ以外の部位、例えばハンドル２０の腕部２０ａを磁化した場合には、腕部２０ａの対応する部位を着磁する位置に配置することも可能である。
【００２３】
このような保持部２６を形成する板状部材は、粉末状の磁性体を混入させた板状の合成樹脂体で形成することができる。また、このような合成樹脂体に代え、金属製の磁石で形成してもよい。更に、握持部２２が磁化されている場合には、保持部２６を磁化することは必ずしも必要ではなく、握持部２２を磁着可能な磁性体で形成してもよい。
【００２４】
図５および図６は、他の実施形態による釣り用容器１０を示す。なお、本実施形態の釣り用容器も原理的には上述の実施形態と同様であり、したがって、同様な部位には同様な符号を付して、その詳細な説明を省略する。
本実施形態の釣り用容器１０は、パッド２２あるいは握持部２０ｂに磁石２８を埋設してある。磁石２８は、図示のように握持部２０ｂの全周にわたって配置してもよく、あるいは、各握持部２２ｂの互いに対向する部位に設けてもよい。また、磁石２８は、粉末状の磁性体を混入した合成樹脂体の他、金属あるいはセラミックで形成することも可能である。このように、握持部２０ｂあるいはパッド２２とは別部材で磁石２８を形成した場合には、磁石２８の少なくとも一部を外部に露出させることも可能である。
【００２５】
また、パッド２２を握持部２０ｂと別部材で形成することに代え、パッド２２と握持部２０ｂとを一体構造に形成することが可能である。この場合には、握持部あるいはパッド内に粉末状の磁性体を混入させて磁性を与え、あるいは、適宜の磁石２８を取付けて磁性を与えることができる。いずれの場合にも、握持部２０ｂあるいはパッド２２の外周部に、握持した手に痛み等、握持性に悪影響を与える凸部あるいは凹部が形成されず、重い荷物を収容した状態であっても快適に握持することができる。
【００２６】
更に、ハンドル２０は、上述のように、取付け軸２５を介して回動可能とすることに代え、腕部２０ａの基部に近接する部位で折曲げ可能に形成して起立位置と倒伏位置になるようにしてもよい。この場合には、ハンドル２０の構造を簡略化することができる。そして、その取付け位置についても、ハンドル２０を、上部開口１１から上方に突出するように形成することに代え、側方に突出させることも可能である。
【００２７】
【発明の効果】
以上明らかなように、本発明によると、一対のハンドルを起立させて互いの握持部を近づけるだけで互いに磁着して一体的に連結されるため、面倒な操作を必要とすることなく、どのような状態にあっても一対のハンドルを極めて簡単に一体的に連結し、容易に持運びすることができる。
【図面の簡単な説明】
【図１】本発明の好ましい実施形態による釣り用容器の説明図。
【図２】図１の釣り用容器のハンドルを起立させて連結した状態の斜視図。
【図３】図１の釣り用容器のハンドルを倒伏させた状態の斜視図。
【図４】図２の状態の釣り用容器の断面図。
【図５】他の実施形態による釣り用容器の断面図。
【図６】図５の実施形態による釣り用容器のハンドルの一部の断面図。
【符号の説明】
１０…釣り用容器、１２…容器本体、２０…ハンドル、２０ｂ…握持部。
【図１】
2004105077.tif 000003
【図２】
2004105077.tif 000004
【図３】
2004105077.tif 000005
【図４】
2004105077.tif 000006
【図５】
2004105077.tif 000007
【図６】
2004105077.tif 000008